【手続補正書】
【提出日】平成21年1月7日(2009.1.7)
【手続補正１】
【補正対象書類名】明細書
【補正対象項目名】００１５
【補正方法】変更
【補正の内容】
【００１５】
図１（ｂ）は、眼鏡型ディスプレイカメラとした撮像装置１を示している。撮像装置１は、例えば両側頭部から後頭部にかけて半周回するようなフレームの構造の装着ユニットを持ち、図のように両耳殻にかけられることでユーザに装着される。
この撮像装置１は、ユーザが装着した状態において、ユーザの視界方向を被写体方向として撮像するように、前方に向けて撮像レンズ３Ｌが配置されている。
また、図示のような装着状態において、ユーザの両眼の直前、即ち通常の眼鏡におけるレンズが位置する場所に、左眼用と右眼用の一対の表示部５、５が配置される構成とされている。この表示部５には、例えば液晶パネルが用いられ、透過率を制御することで、図のようなスルー状態、即ち透明又は半透明の状態とできる。表示部５がスルー状態とされることで、眼鏡のようにユーザが常時装着していても、通常の生活には支障がない。
なお、表示部５は、両眼に対応して一対設けられる他、片側の眼に対応して１つ設けられる構成も考えられる。また表示部５が設けられない構成も考えられる。
【手続補正２】
【補正対象書類名】明細書
【補正対象項目名】００２５
【補正方法】変更
【補正の内容】
【００２５】
位置検出部１０は例えばＧＰＳ受信部とされる。ＧＰＳ受信部は、ＧＰＳ（Global Positioning System）の衛星からの電波を受信し、現在位置としての緯度・経度の情報をシステムコントローラ２に出力する。
なお、位置検出部１０としては、ＷｉＦｉ（Wireless Fidelity）や携帯電話会社が提供する位置情報サービスを利用するものとしてもよい。
日時計数部１１は、常時日時カウント動作を行い、年月日時分秒を計数する。なお、図ではシステムコントローラ２と別ブロックとしているが、システムコントローラ２の内部タイマとして日時計数部を設けてもよい。
【手続補正３】
【補正対象書類名】明細書
【補正対象項目名】００２９
【補正方法】変更
【補正の内容】
【００２９】
ところで、図３（ａ）の例では、行動履歴データベースではエリアＡＲに対応して訪問した回数の情報を登録するものとしたが、例えば行動履歴データベースを、図３（ｂ）のように、緯度／経度の位置情報Ｐ１，Ｐ２，Ｐ３・・・のそのものに対応して、訪問した回数を登録する形式としてもよい。
この場合、システムコントローラ２は撮像を行う際に、位置検出部１０で検出された位置情報（緯度・経度）に基づいて、行動履歴データベースを検索し、現在位置が、既に行動履歴データベースに登録されていれば、その位置情報Ｐ（ｘ）に対応する回数の情報を＋１加算する。また、現在位置が、行動履歴データベースに登録されていなければ、現在位置としての緯度・経度を位置情報Ｐとして行動履歴データベースに新規追加するとともに、回数を「１」とする。
行動履歴データベースをこの図３（ｂ）のような形式とする場合、上述した図３（ａ）の形式の場合に、現在のエリアを判別するために用いていた地図データベースは不要となる。
【手続補正４】
【補正対象書類名】明細書
【補正対象項目名】００３１
【補正方法】変更
【補正の内容】
【００３１】
なお、これらの撮像画像データ記録領域８ａ、地図データベース格納領域８ｂ、行動履歴データベース格納領域８ｃ、カレンダ情報記録領域８ｄは、ストレージ部８内における固定的な領域として設定される必要はない。あくまで本例において、ストレージ部８に、撮像画像データ、地図データベース、行動履歴データベース、カレンダ情報が保存されればよいものである。また、例えばカレンダ情報や行動履歴データベース等を、システムコントローラ２の内部メモリに記憶させるようにしてもよい。
【手続補正５】
【補正対象書類名】明細書
【補正対象項目名】００３８
【補正方法】変更
【補正の内容】
【００３８】
ここで、撮像動作設定としては、画質設定、又は画サイズ設定、又は撮像間隔設定が考えられる。
画質設定とは、撮像画像データの画像品質であり、これは例えば圧縮率の高低の設定とすることができる。即ち撮像部３で得られた撮像画像データは、撮像制御部４で所定の圧縮方式で圧縮処理されてストレージ部８に転送され、撮像画像データ記録領域８ａに記録されるが、ここで圧縮処理の際に圧縮率を高くするほど、データ量は小さくなるが、保存される撮像画像データの品質は低下する。一方、圧縮率が低くすれば（もしくは非圧縮とすれば）データ量は大きくなるが保存される撮像画像データの品質は高くなる。
従って、圧縮率の高低の設定として保存する画像データ品質を変化させることができるとともに、記憶容量の有効利用も図ることができる。
【手続補正６】
【補正対象書類名】明細書
【補正対象項目名】００３９
【補正方法】変更
【補正の内容】
【００３９】
画サイズ設定とは、例えば撮像画像データの画素数と考えることができ、例えば撮像素子部３ｂでの画素数に応じた画サイズを最大とし、例えば画素間引き処理により画素数を低下させていくほど、画サイズは小さくなる。
これも、画サイズは大きいほど高品位であるがデータ量は大きく、一方、画サイズを小さくするほど画質は低品位となるがデータ量は少なくなる。
【手続補正７】
【補正対象書類名】明細書
【補正対象項目名】００５１
【補正方法】変更
【補正の内容】
【００５１】
システムコントローラ２は、このステップＦ１０６により１回の自動撮像に関する処理を終了する。そして、その後は、再び内部タイマのカウントにより、所定時間経過後（例えば１０秒後など）に、ステップＦ１０１で撮像タイミングとなったと判断し、ステップＦ１０２以降の処理を実行する。
即ちシステムコントローラ２は、例えば１０秒間隔などでこの図５の処理を実行することで、１０秒間隔などとしての自動撮像としての撮像画像データが蓄積されていくとともに、その蓄積される撮像画像データは、撮像実行場所が、よく来る場所であるか否かによって品質やデータ量が異なるものとされる。
例えば図４の通勤経路である斜線部Ａ１の範囲内に居るときや通過しているときに撮像される画像は、ステップＦ１０５の処理により、比較的低品質でデータ量の少ない画像として保存され、一方、ユーザが珍しく斜線部Ａ２の地区を行動したとすると、その際に撮像される画像は、ステップＦ１０４の処理により、比較的高品質でデータ量の多い画像として保存される。
【手続補正８】
【補正対象書類名】明細書
【補正対象項目名】００５６
【補正方法】変更
【補正の内容】
【００５６】
ステップＦ２０３で、現在位置が、過去に閾値Ｃｔｈ２以上の回数訪れた場所ではないと判断した場合は、システムコントローラ２はステップＦ２０４に進む。ステップＦ２０４，Ｆ２０５，Ｆ２０６は、図５のステップＦ１０３，Ｆ１０４，Ｆ１０５と同様であり、過去の訪問回数を閾値Ｃｔｈ１と比較して、よく訪れている場所であれば標準品質の画質での撮像を指示し、あまり訪れていない場所であれば、高品質の画質での撮像を指示することとなる。
そしてステップＦ２０７で、図５のステップＦ１０６と同様に現在位置に応じて行動履歴データベースの更新を行って処理を終える。
【手続補正９】
【補正対象書類名】明細書
【補正対象項目名】００７０
【補正方法】変更
【補正の内容】
【００７０】
ステップＦ５０５において本日は休日ではないと判断した場合、システムコントローラ２はステップＦ５０６に進み、非優位設定として標準品質の撮像を指示する。これにより撮像制御部４は、撮像部３で得られた撮像画像データについて非優位設定としての高い圧縮率での圧縮処理を行い、保存すべき静止画像としてストレージ部８に転送する。ストレージ部８では転送されてきた撮像画像データを保存する。
ところがステップＦ５０５において本日は休日であると判断した場合、システムコントローラ２はステップＦ５０４に進み、優位設定として高品質の撮像を指示する。従って、現在位置がよく訪れる場所であったとしても、現在が休日である場合は、高品質の画像として撮像画像データが保存されることになる。
【手続補正１０】
【補正対象書類名】明細書
【補正対象項目名】００９０
【補正方法】変更
【補正の内容】
【００９０】
現在居る場所について過去に訪れた回数（過去に自動撮像を行った回数）が、閾値Ｃｔｈ１以上であり、頻繁に訪れる場所と判定したら、システムコントローラ２はステップＦ８０６に進み、非優位設定として標準品質の撮像を指示する。これにより撮像制御部４は、撮像部３で得られた撮像画像データについて非優位設定としての高い圧縮率での圧縮処理を行い、保存すべき静止画像としてストレージ部８に転送する。ストレージ部８では転送されてきた撮像画像データを保存する。
【手続補正１１】
【補正対象書類名】明細書
【補正対象項目名】００９１
【補正方法】変更
【補正の内容】
【００９１】
一方、現在居る場所について過去に訪れた回数（過去に自動撮像を行った回数）が、閾値Ｃｔｈ１未満であり、あまり訪れない場所と判定したら、システムコントローラ２はステップＦ８０４に進み、現在の速度Ｖｎを確認し、この速度Ｖｎが所定の比較基準速度Ｖｔｈ以上であるか否かを判別する。
即ちシステムコントローラ２は、上記図１３の処理を並行して行っているが、このステップＦ８０４の時点で、図１３のステップＦ７０３により保持されている速度Ｖｎ、つまり現在の速度を確認する。そしてこの速度Ｖｎを、予め決められている比較基準速度Ｖｔｈと比較する。
現在の速度Ｖｎが、比較基準速度Ｖｔｈ以上であれば、ステップＦ８０６に進み、標準設定で撮像指示を行う。これにより非優位設定としての標準的な画質で撮像画像データが保存される。
現在の速度Ｖｎが、比較基準速度Ｖｔｈより遅ければ、ステップＦ８０５に進み、優位設定として高品質の撮像を指示する。これにより撮像制御部４は、撮像部３で得られた撮像画像データについて優位設定としての低い圧縮率での圧縮処理を行い、保存すべき静止画像としてストレージ部８に転送する。ストレージ部８では転送されてきた撮像画像データを保存する。
【手続補正１２】
【補正対象書類名】明細書
【補正対象項目名】０１０３
【補正方法】変更
【補正の内容】
【０１０３】
現在居る場所について過去に訪れた回数（過去に自動撮像を行った回数）が、閾値Ｃｔｈ１以上であり、頻繁に訪れる場所と判定したら、システムコントローラ２はステップＦ９０７に進み、非優位設定として標準品質の撮像を指示する。これにより撮像制御部４は、撮像部３で得られた撮像画像データについて非優位設定としての高い圧縮率での圧縮処理を行い、保存すべき静止画像としてストレージ部８に転送する。ストレージ部８では転送されてきた撮像画像データを保存する。
【手続補正１３】
【補正対象書類名】明細書
【補正対象項目名】０１０６
【補正方法】変更
【補正の内容】
【０１０６】
ステップＦ９０４で、現在位置が交通機関の路線沿いであると判定した場合は、ステップＦ９０５で、現在の速度Ｖｎを確認し、この速度Ｖｎが所定の比較基準速度Ｖｔｈ以上であるか否かを判別する。
即ちシステムコントローラ２は、並行して行っている上記図１３の処理により、現時点で、図１３のステップＦ７０３により保持されている速度Ｖｎ、つまり現在の速度を確認する。そしてこの速度Ｖｎを、予め決められている比較基準速度Ｖｔｈと比較する。この場合、比較基準速度は、電車やバスの移動速度と、人の移動速度の判別できる速度とする。例えば２０〜３０ｋｍ／ｈ程度の値とすればよい。
【手続補正１４】
【補正対象書類名】明細書
【補正対象項目名】０１０７
【補正方法】変更
【補正の内容】
【０１０７】
現在の速度Ｖｎが、比較基準速度Ｖｔｈ以上であれば、ユーザは電車やバスに乗っていると推定し、ステップＦ９０７に進んで、標準設定で撮像指示を行う。これにより非優位設定としての標準的な画質で撮像画像データが保存される。
現在の速度Ｖｎが、比較基準速度Ｖｔｈより遅ければ、ユーザは歩行中などであると推定してステップＦ９０６に進み、優位設定として高品質の撮像を指示する。これにより優位設定としての高画質で撮像画像データが保存される。
【手続補正１５】
【補正対象書類名】明細書
【補正対象項目名】０１１８
【補正方法】変更
【補正の内容】
【０１１８】
また静止画撮像、動画撮像にかかわらず、上述した実施の形態で述べた設定条件を多様に組み合わせることもできる。
例えば、頻繁に訪れる場所であるか否かという条件と、現在の日付が休日であるか否か（又は現在時刻が特定の時間帯であるか否か）という条件と、現在速度が所定速度以上か否かという条件を組み合わせて、２段階、或いは３段階以上で撮像動作設定を切り換えるようにすることもできる。
【手続補正１６】
【補正対象書類名】図面
【補正対象項目名】図１４
【補正方法】変更
【補正の内容】
【図１４】
2009049952.tif 000001
【手続補正１７】
【補正対象書類名】図面
【補正対象項目名】図１６
【補正方法】変更
【補正の内容】
【図１６】
2009049952.tif 000002